(57)【要約】  本発明は、構造が簡単で光の利用効率が高く厚みの薄い光学記録ヘッドを提供する。このため、記録媒体の上で前記記録媒体と相対的に移動し、光導波路が配設されたスライダと、光源からの光を導く光ファイバと、を備えた光記録ヘッドにおいて、前記光ファイバは、前記スライダに接合されると共に、該光ファイバの光を出射する側の端面に光源より導かれた光を偏向させる反射面となる斜面が形成され、該斜面で偏向された光が前記光導波路に入射する位置に配置されている。
2008142917.tif 000002
【特許請求の範囲】
【請求項１】
記録媒体の上で前記記録媒体と相対的に移動し、光導波路が配設されたスライダと、
光源からの光を導く光ファイバと、を備えた光記録ヘッドにおいて、
前記光ファイバは、前記スライダに接合されると共に、該光ファイバの光を出射する側の端面に光源より導かれた光を偏向させる反射面となる斜面が形成され、該斜面で偏向された光が前記光導波路に入射する位置に配置されていることを特徴とする光記録ヘッド。
【請求項２】
前記光ファイバの前記斜面で偏向された光が該ファイバから出射する面に平坦部を有していることを特徴とする請求の範囲第１項に記載の光記録ヘッド。
【請求項３】
前記光ファイバが導く光が前記反射面に入射し反射してなす面内で、該反射面に入射する光の光軸と前記光導波路の入射端で光が進む方向に垂直な面とがなす角度ｘが、条件式（１）を満足するように前記光導波路と前記光ファイバとを配置し、
前記反射面は、前記光ファイバが導く光が該反射面に入射する入射角ｙが、条件式（２）を満足する斜面であることを特徴とする請求の範囲第１項又は第２項に記載の光記録ヘッド。
ｎ×ｓｉｎ（π／４−ｘ／２  −  ａｒｃｓｉｎ（ａ／ｎ））  ＞  １    （１）
ｙ＝π／４−ｘ／２                                                  （２）
但し、
０  ≦  ｘ  ＜  π／２
ｎ：光ファイバのクラッドの屈折率
ａ：光ファイバが導く光の軸に対して光ファイバの端面が垂直な場合の光ファイバのＮＡ
【請求項４】
前記光ファイバは、該光ファイバが導く光の偏波を保持する屈折率変化部を前記反射面で反射した光が通る光路を外れた位置に有することを特徴とする請求の範囲第１項乃至第３項の何れか一項に記載の光記録ヘッド。
【請求項５】
前記光導波路から光が出射する位置に、プラズモンプローブが配置されていることを特徴とする請求の範囲第１項乃至第４項の何れか一項に記載の光記録ヘッド。
【請求項６】
請求の範囲第１項乃至第５項の何れか一項に記載の光記録ヘッドは、前記記録媒体に磁気記録を行う磁気記録部を前記スライダに備えていることを特徴とする光アシスト式磁気記録ヘッド。
【請求項７】
記録媒体と、請求の範囲第１項乃至第５項の何れか一項に記載の光記録ヘッドと、前記光記録ヘッドを制御する制御部と、を有することを特徴とする光記録装置。
【請求項８】
記録媒体と、請求の範囲第６項に記載の光アシスト式磁気記録ヘッドと、前記光アシスト式磁気記録ヘッドを制御する制御部と、を有することを特徴とする光記録装置。
【発明の詳細な説明】
【技術分野】
【０００１】
本発明は、光記録ヘッド、光アシスト式磁気記録ヘッド及び光記録装置に関する。
【背景技術】
【０００２】
磁気記録方式では、記録密度が高くなると磁気ビットが外部温度等の影響を顕著に受けるようになる。このため高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。【０００３】
熱アシスト磁気記録方式では、記録媒体の加熱を瞬間的に行うことが望ましい。また、加熱する機構と記録媒体とが接触することは許されない。このため、加熱は光の吸収を利用して行われるのが一般的であり、加熱に光を用いる方式は光アシスト式と呼ばれている。光アシスト式で超高密度記録を行う場合、必要なスポット径は２０ｎｍ程度になるが、通常の光学系では回折限界があるため、光をそこまで集光することはできない。このため、入射光波長以下のサイズの光学的開口から発生する近接場光を利用する光記録ヘッドが利用されており、その例を以下に示す。【０００４】
（１）特許文献１に記載の光記録ヘッドは、記録媒体の上を相対移動するスライダと、その先端に設けられた光プリズムと、プリズムの下方に設けられた透明誘電体ブロックと、このブロックの下に設けられた記録素子と、を有している。スライダの上部には溝が刻まれ、その溝に光ファイバが埋設されている。光ファイバから放出された光ビームは、光プリズムにより反射され、透明誘電体ブロックを透過して記録素子のギャップ付近において光スポットを形成するように照射される。【０００５】
（２）特許文献２に記載の光記録ヘッドは、ミラー基板、開口基板と、光ファイバからなっている。ミラー基板には斜面が形成され、この斜面にＡｌを蒸着したミラー面がある。また、ミラー基板にはＶ溝が形成されており、そこに光ファイバが固定接着されている。開口基板はＳｉＯ2から成り、上面にマイクロレンズが形成されている。開口基板の底面には空気浮上のためのスライダと、その間に近接場光発生微小構造が形成されている。スライダ底面で規定される平面上に微小構造の先端が位置する。光ファイバからの出射光はミラー面で略９０°折り曲げられて反射され、マイクロレンズに入射し、このレンズで集光されて、微小構造に照射される。【０００６】
（３）特許文献３に記載の光記録ヘッドは、可とう性を有する略棒状のコア及びこれを囲むクラッドを備えた光導波路に、反射面及び微小な開口部を持つ遮光膜を備えている。反射面は、コア内を伝搬する光をクラッドを透過する方向に反射するためのもので、コアの軸方向に対して４５度の角度で切断された光導波路の一端面からなっている。また、遮光膜は、光の透過を遮断するためのもので、反射面で反射された光が透過する部位を中心とするクラッド表面に形成されている。また、開口部は、近接場光を発生するためのもので、反射面で反射された光が透過する部位に対応する遮光膜の一部を使用する光の波長よりも小さく削除して形成されている。また、反射面から反射された光が到達する部位に窪みを形成し集光レンズを設けたり、反射面から反射された光が到達する部位のクラッド中にクラッドとは屈折率の異なる球状、半球状、回転楕円体状若しくは回転放物面状の領域を設けているものもある。
【特許文献１】特開２００２−２９８３０２号公報
【特許文献２】特開２００３−６９１３号公報
【特許文献３】特開２０００−２１５４９４号公報
【発明の開示】
【発明が解決しようとする課題】
【０００７】
特許文献１に記載の光記録ヘッドは、光ファイバから放出された光が光プリズムで反射され透明誘電体ブロックを透過して記録素子のギャップ付近に光スポットを形成する構成としている。この場合、光ファイバから放出される光は、記録素子のギャップ付近に到達するまでの距離が長いため広がってしまい、ギャップ付近での近接場光の発生に寄与する光の利用効率が低くなってしまう。【０００８】
特許文献２に記載の光記録ヘッドは、光ファイバからの出射光を近接場光発生微小構造に到達させるために、Ａｌの蒸着膜による偏向素子とマイクロレンズによる集光素子を備えている。光ファイバからの光をマイクロレンズにより近接場光発生微小構造に集光させているが、偏向素子及び集光素子の製造に手間がかかる上に、これらの素子の光損失が大きい。このため、集光の効果が微小構造付近での近接場光の発生に寄与する光の利用効率の向上に十分に寄与しない。また、マイクロレンズの光軸がスライダの浮上方向と略平行となる構成のため、光記録ヘッドの全体の厚みを薄くすることができない。【０００９】
特許文献３に記載の光記録ヘッドは、以下の構造である。可とう性を有する略棒状のコア及びこれを囲むクラッドを備えた光導波路に、一端面側に反射面とする斜め構造、媒体上に浮上する面、集光のための集光レンズやクラッドとは屈折率の異なる領域、さらに近接場を生じさせるために遮光膜に微小な開口部を備えている。よって、光導波路の構造が複雑であるため製造が容易でない。また、金属製遮光膜の微小開口による近接場発生は、例えば三角形の形状をした平面状金属散乱体を平面基板上に形成したプローブに比較して光の利用効率が低い。【００１０】
本発明は、上記の課題を鑑みてなされたものであって、その目的とするところは、構造が簡単で光の利用効率が高く厚みの薄い光学記録ヘッドを提供することである。
【課題を解決するための手段】
【００１１】
上記の課題は、以下の構成により解決される。【００１２】
１．  記録媒体の上で前記記録媒体と相対的に移動し、光導波路が配設されたスライダと、
光源からの光を導く光ファイバと、を備えた光記録ヘッドにおいて、
前記光ファイバは、前記スライダに接合されると共に、該光ファイバの光を出射する側の端面に光源より導かれた光を偏向させる反射面となる斜面が形成され、該斜面で偏向された光が前記光導波路に入射する位置に配置されていることを特徴とする光記録ヘッド。【００１３】
２．  前記光ファイバの前記斜面で偏向された光が該ファイバから出射する面に平坦部を有していることを特徴とする１に記載の光記録ヘッド。【００１４】
３．  前記光ファイバが導く光が前記反射面に入射し反射してなす面内で、該反射面に入射する光の光軸と前記光導波路の入射端で光が進む方向に垂直な面とがなす角度ｘが、条件式（１）を満足するように前記光導波路と前記光ファイバとを配置し、
前記反射面は、前記光ファイバが導く光が該反射面に入射する入射角ｙが、条件式（２）を満足する斜面であることを特徴とする１又は２に記載の光記録ヘッド。
ｎ×ｓｉｎ（π／４−ｘ／２  −  ａｒｃｓｉｎ（ａ／ｎ））  ＞  １    （１）
ｙ＝π／４−ｘ／２                                                  （２）
但し、
０  ≦  ｘ  ＜  π／２
ｎ：光ファイバのクラッドの屈折率
ａ：光ファイバが導く光の軸に対して光ファイバの端面が垂直な場合の光ファイバのＮＡ【００１５】
４．  前記光ファイバは、該光ファイバが導く光の偏波を保持する屈折率変化部を前記反射面で反射した光が通る光路を外れた位置に有することを特徴とする１乃至３の何れか一項に記載の光記録ヘッド。【００１６】
５．前記光導波路から光が出射する位置に、プラズモンプローブが配置されていることを特徴とする１乃至４の何れか一項に記載の光記録ヘッド。【００１７】
６．１乃至５の何れか一項に記載の光記録ヘッドは、前記記録媒体に磁気記録を行う磁気記録部を前記スライダに備えていることを特徴とする光アシスト式磁気記録ヘッド。【００１８】
７．  記録媒体と、１乃至５の何れか一項に記載の光記録ヘッドと、前記光記録ヘッドを制御する制御部と、を有することを特徴とする光記録装置。【００１９】
８．  記録媒体と、６に記載の光アシスト式磁気記録ヘッドと、前記光アシスト式磁気記録ヘッドを制御する制御部と、を有することを特徴とする光記録装置。
【発明の効果】
【００２０】
本発明によれば、光ファイバで光源から導かれた光は、光ファイバの端に形成されている斜面で反射され偏向され、偏向された光がスライダに配設されている光導波路に入射することが出来き、光導波路に入射した光は記録媒体を照射する。よって、光源より導かれた光は記録媒体を照射することが出来る。【００２１】
従って、構造が簡単で光の利用効率が高く厚みの薄い光学記録ヘッドを提供することが出来る。
【図面の簡単な説明】
【００２２】
【図１】光アシスト式磁気記録ヘッドを搭載した光記録装置の概略構成例を示す図である。
【図２】光記録ヘッドの一例を示す図である。
【図３】図２の光ファイバの周辺を矢印Ｄの方向から透視した様子の例を示している図である。
【図４】光導波路の例を示す図である。
【図５】プラズモンプローブの例を示す図である。
【図６】図２の光ファイバの周辺を矢印Ｄの方向から透視した様子の例を示している図である。
【図７】反射面に入射した光が、反射してスライダ方向に偏向してクラッド部分を伝搬する光と、反射面を透過して漏れ光となる様子を説明する図である。
【図８】反射面における反射を全反射とする光記録ヘッドの例を示す図である。
【図９】（ａ）は偏波保持ファイバを説明する図である。（ｂ）は光記録ヘッドに偏波保持ファイバを用いた場合で好ましくない例を示す図である。（ｃ）は光記録ヘッドに偏波保持ファイバを用いた場合で好ましい例を示す図である。
【符号の説明】
【００２３】
１Ａ  光記録装置
１  筐体
２  ディスク（記録媒体）
３、３Ａ  光記録ヘッド
１０  光ファイバ
１１ａ、１１ｂ、１１ｃ、２１ａ、２１ｂ、３１ｂ  光
１２  反射面
１３  スライダ
１６  光導波路
１７  磁気記録部
１８  磁気再生部
２０  偏波保持ファイバ
２６  屈折率変化部
Ｄ  矢印
【発明を実施するための最良の形態】
【００２４】
本発明を図示の実施の形態に基づいて説明するが、本発明は該実施の形態に限らない。以下、本発明に係わる光記録ヘッドに磁気記録素子を有する光アシスト式磁気記録ヘッドとそれを備えた光記録装置等を図を参照しつつ説明する。尚、各実施形態の相互で同一の部分や相当する部分には同一の符号を付して重複の説明を適宜省略する。【００２５】
（第１の実施形態）
図１に光アシスト式磁気記録ヘッドを搭載した光記録装置（例えばハードディスク装置）の概略構成例を示す。この光記録装置１Ａは、以下（１）〜（６）を筐体１の中に備えている。
（１）記録用のディスク（記録媒体）２
（２）支軸５を支点として矢印Ａの方向（トラッキング方向）に回転可能に設けられたサスペンション４
（３）サスペンション４に取り付けられたトラッキング用アクチュエータ６
（４）サスペンション４の先端に取り付けられた光アシスト式磁気記録ヘッド（以下、光記録ヘッドと称する。）３
（５）ディスク２を矢印Ｂの方向に回転させるモータ（図示しない）
（６）トラッキング用アクチュエータ６、モータ及び記録等の制御を行う制御部７
こうした光記録装置１Ａは、光記録ヘッド３がディスク２の上で浮上しながら相対的に移動しうるように構成されている。【００２６】
図２は、光記録ヘッド３の一例を示している。光記録ヘッド３は、ディスク２に対する情報記録に光を利用する光記録ヘッドであって、光記録ヘッド３に近赤外レーザーを光源とする光を導光する光ファイバ１０と、ディスク２の被記録部分を近赤外レーザー光でスポット加熱するための光導波路１６と、ディスク２の被記録部分に対して磁気情報の書き込みを行う磁気記録部１７と、ディスク２に記録されている磁気情報の読み取りを行う磁気再生部１８と、を備えている。【００２７】
尚、図２ではディスク２の記録領域の進入側から退出側（図の→方向）にかけて、磁気再生部１８、光導波路１６、磁気記録部１７の順に配置されているが、配置順はこれに限らない。光導波路１６の退出側直後に磁気記録部１７が位置すればよいので、例えば、光導波路１６、磁気記録部１７、磁気再生部１８の順に配置してもよい。【００２８】
光ファイバ１０により導光される光１１ａは、例えば、半導体レーザーより出射される光であり、その光の波長は１．２μｍ以上の近赤外波長（近赤外帯域としては、０．８μｍから２μｍ程度であり、具体的なレーザー光の波長としては、１３１０ｎｍ、１５５０ｎｍ等が挙げられる。）が好ましい。光ファイバ１０の端面は斜面を有しており、この斜面が反射面１２となって、導光した光をスライダ１３の方向に偏向する。光ファイバ１０で導光された光１１ａは、反射面１２で反射され、偏向される。偏向された光１１ｂは拡散状態でクラッドを伝搬し光ファイバ１０から出射し、スライダ１３に設けられた光導波路１６の上端面に光スポットを形成する。この光スポットを形成する光は、光アシスト部をなす光導波路１６で導波されて光記録ヘッド３からディスク２に向けて出射する。【００２９】
スライダ１３は、ディスク２の面に対向する下面とこれに平行な上面を有し、この上面に光ファイバ１０が設けてある。さらに、スライダ１３は、この下面と上面とに端面を有し、この両面に概垂直の光導波路１６を備えている。【００３０】
光ファイバ１０の光の出射側の端を斜め４５度にカットされた斜面を反射面１２とした場合、偏向された光１１ｂは、光導波路１６の入射端面にほぼ垂直に入射することになる。【００３１】
図３は、図２の光記録ヘッド３の光ファイバ１０の周辺を矢印Ｄの方向から透視した様子の例を示している。図３の１１ｂは、光ファイバ１０のクラッド部分を伝搬する光を示している。クラッド部分を伝搬する光１１ｂは光導波路１６に結合される。クラッド部分を伝搬する光１１ｂは反射面１２からは発散光となり、図３に示すように徐々にビーム径が広がる。この広がりの程度は、伝播距離が光ファイバ１０の概半径（例えば、６２．５μｍ）と短いため、例えば図２、図３で示している構成では、光ファイバ１０が導光した光１１ａのビーム径が１０μｍであれば、光導波路１６に結合される際には１２μ程度に広がる。従って、光ファイバ１０と光導波路１６の光結合の損失は実用上問題とならない。【００３２】
また、図３は、光ファイバ１０をスライダ１３に樹脂の接着剤１５にて固定している例を示している。光ファイバ１０の切断面の外形は一般的に円形状である。この円形状の光ファイバ１０をこの形状のままスライダ１３に固定することで簡単に光記録ヘッド３を構成することができる。この円形状の光ファイバ１０をスライダ１３に固定する場合、スライダ１３と光ファイバ１０との隙間を接着剤等の樹脂で埋め込むのが好ましい。隙間を樹脂で埋め込むことで、隙間の屈折率を空気より大きく、光ファイバ１０のクラッドの屈折率に近い値とすることができる。このため、反射面１２で散乱してクラッド部分を伝搬する光が、スライダ１３と接触する光ファイバ１０の外形が円形状である底部でさらに散乱することを抑えることができ、光ファイバ１０と光導波路１６の光結合の損失を抑えることが出来る。接着剤としては、例えばアクリル系やエポキシ系の屈折率が１．３〜１．５程度の公知の光学部品用の接着剤が挙げられる。【００３３】
スライダ１３に光導波路１６を設けることで、スライダ上面に形成されるスポット光を、そのスポット径を損なうことなく、且つ効率よくスライダ下面に導くことができる。光導波路１６に入射する光の方向は、光導波路１６の入射面に対してほぼ垂直であることが好ましい。垂直方向から傾くにつれて光導波路１６で導波する効率が悪くなり、入射角（入射面に垂直な法線からの角度）が５°程度のほぼ垂直とすることで効率よく光を導波することができる。例えば、スライダが相対移動する面に対して斜めに光導波路１６をスライダ１３に設ける場合、光導波路１６の入射面は、スライダ１３の移動方向に平行な面にするより入射する光に垂直な面とするほうが光効率の点で好ましい。【００３４】
また、特に光導波路１６をスライダ１３の相対移動方向に対して垂直に設ける場合、光が収束するために角度を持った収束光をスライダ内部に通す必要がなくなるため、磁気記録面が相対的に移動する方向の光導波路１６の前後の近い位置に磁気記録部１７及び磁気再生部１８を容易に設けることができる。このため、効率の良い光アシスト式光ヘッドを構成することができる。【００３５】
また、光導波路１６に後述の光スポットサイズ変換機能を持たせることで、光導波路１６の入射面に形成された光スポットの径を、出射面で小さくすることができる。よって、より小さい光スポット径をディスク２の面に形成することができ、高記録密度化に対応することができる。【００３６】
光スポットサイズ変換機能を持つ光導波路の例として図４を示す。図４（Ａ）、（Ｂ）は、光ディスク２が回転することにより光ヘッドが相対的に移動する方向から光導波路の部分を見た様子を示し、図４（Ｃ）は移動方向に対して垂直方向で且つ磁気記録面に対して平行方向から見た様子を模式的に示している。図４に示す光導波路１６は、コア１６ａ（例えばＳｉ）、サブコア１６ｂ（例えばＳｉＯＮ）及びクラッド１６ｃ（例えばＳｉＯ2）からなっている。光導波路１６の光射出位置又はその近傍には、図４（Ｃ）に示す様に、近接場光発生用のプラズモンプローブ１６ｆが配設されている。このプラズモンプローブ１６ｆの具体例を図５に示す。【００３７】
図５において、（Ａ）は三角形の平板状金属薄膜（材料例：アルミニウム、金、銀等）からなるプラズモンプローブ１６ｆ、（Ｂ）はボウタイ型の平板状金属薄膜（材料例：アルミニウム、金、銀等）からなるプラズモンプローブ１６ｆであり、何れも曲率半径２０ｎｍ以下の頂点Ｐを有するアンテナからなっている。また、（Ｃ）は開口を有する平板状金属薄膜（材料例：アルミニウム、金、銀等）からなるプラズモンプローブ１６ｆであり、曲率半径２０ｎｍ以下の頂点Ｐを有するアンテナからなっている。これらのプラズモンプローブ１６ｆに光が作用すると、その頂点Ｐ近辺に近接場光が発生して、非常に小さいスポットサイズの光を用いた記録を行うことが可能となる。つまり、光導波路１６の光射出位置又はその近傍にプラズモンプローブ１６ｆを設けることによりプラズモンを発生させれば、光導波路１６で形成された光スポットのサイズを小さくすることができ、高密度記録に有利となる。尚、コア１６ａの中央にプラズモンプローブ１６ｆの頂点Ｐが位置することが好ましい。【００３８】
光アシスト式で超高密度記録を行う場合に必要なスポット径が２０ｎｍ程度であり、光の利用効率を考えると、プラズモンプローブ１６ｆにおけるモードフィールド径（ＭＦＤ）は０．３μｍ程度が望ましい。このＭＦＤの大きさでは光の入射が困難であるため、スポット径を５μｍ程度から数１００ｎｍまで小さくするスポットサイズ変換を行う必要がある。図４で示す光導波路の例は、光入射を容易にするためのスポットサイズ変換を行う構成としている。【００３９】
図４において、コア１６ａの幅は、図４（Ｃ）が示す断面では光入力側から光出力側にかけて一定になっているが、図４（Ａ）に示す断面ではサブコア１６ｂ内において光入力側から光出力側にかけて徐々に広くなるように変化している。この光導波路径の滑らかな変化によりモードフィールド径が変換される。つまり、光導波路のコア１６ａの幅は、図４（Ａ）に示すように、光入力側で０．１μｍ以下、光出力側で０．３μｍとなっているが、図４（Ｂ）に示すように、光入力側ではサブコア１６ｂによりＭＦＤが５μｍ程度の光導波路が構成され、その後徐々にコア１６ａに光結合してモードフィールド径が小さくすることができる。このように、光導波路の光出力側のモードフィールド径をｄｍとし、光導波路の光入力側のモードフィールド径をＤｍとしたとき、光導波路径を滑らかに変化させることによりモードフィールド径を変換して、Ｄｍ＞ｄｍを満たすようにすることが好ましい。【００４０】
光記録ヘッド３の光導波路１６から出射した近赤外レーザー光が微小なスポットとしてディスク２に照射されると、ディスク２の照射された部分の温度が一時的に上昇してディスク２の保持力が低下する。その保持力の低下した状態の照射された部分に対して、磁気記録部１７により磁気情報が書き込まれる。【００４１】
スライダ１３は浮上しながらディスク２に対して相対的に移動するが、ディスク２に付着したごみや、媒体に欠陥がある場合には接触する可能性がある。その場合に発生する摩耗を低減するため、スライダ１３の材質には耐摩耗性の高い硬質の材料を用いることが望ましい。例えば、Ａｌ2０3を含むセラミック材料、例えばＡｌＴｉＣやジルコニア、ＴｉＮなどを用いれば良い。また、摩耗防止処理として、スライダ１３のディスク２側の面に耐摩耗性を増すために表面処理を行っても良い。例えば、ＤＬＣ（Ｄｉａｍｏｎｄ  Ｌｉｋｅ  Ｃａｒｂｏｎ）被膜を用いると、近赤外光の透過率も高く、ダイヤモンドに次ぐＨｖ＝３０００以上の硬度が得られる。【００４２】
また、スライダ１３のディスク２と対峙する面には、浮上特性向上のための空気ベアリング面（ＡＢＳ（Ａｉｒ  Ｂｅａｒｉｎｇ  Ｓｕｒｆａｃｅ）面とも称する。）を有している。【００４３】
このように、光記録ヘッド３は、光ファイバ１０、スライダ１３及びスライダ１３に設けてある光導波路１６を備える簡単な構造であり、また光路を構成する部品が少ないため光損失を少なくすることが出来る。また、光記録ヘッド３の厚みは、スライダ１３の厚みと光ファイバ１０の高さによるため薄くすることが出来る。【００４４】
（第２の実施形態）
光ファイバ１０が、スライダ１３と接合される面に平坦部を有している例を示す。図６は、図２の光記録ヘッド３の光ファイバ１０の周辺を矢印Ｄの方向から透視した様子を示している。図６で示すように、光ファイバ１０は、端部の反射面１２で偏向された光が光ファイバ１０から出射する面に平坦部１０ｃを有しているのが好ましい。光ファイバ１０のコアを伝播する光１１ａは反射面１２によってスライダ１３がある方向に偏向され光ファイバ１０のクラッド部分を伝播する。クラッド部分を伝搬する光１１ｂは光導波路１６に結合される。光ファイバ１０が平坦部１０ｃを有しているので、光ファイバ１０のクラッド部分を伝搬する光１１ｂの方向の軸を光導波路１６の光軸と概一致するように回転調整を行う必要がなく配設が容易である。また、平坦部１０ｃがあることで、クラッド部分を伝搬する光１１ｂのスライダ１３までの距離が短いため、ビーム径の広がりをより小さくすることができる。この結果、光ファイバ１０と光導波路１６での光結合の損失をより少なくすることができる。【００４５】
（第３の実施形態）
光ファイバ１０の端部の反射面１２が全反射面である例を示す。図２において、使用する光ファイバ１０のクラッドの屈折率を１．５、ＮＡ（Ｎｕｍｅｒｉｃａｌ  Ａｐｅｒｔｕｒｅ）を０．１とすると、光ファイバ１０の端部を斜め４５度にカットされた斜面がなす反射面１２は、全反射とはならない。具体的には、図７に示すように、反射面１２に入射した光１１ａは、９０％程度は反射してスライダ方向に偏向してクラッド部分を伝搬する光１１ｂとなるが、残り１０％程度の光は漏れ光１１ｃとなって反射面１２における光損失となる。【００４６】
この光損失を抑えるため、反射面１２における反射を全反射とする光記録ヘッドの例を図８を用いて説明する。図８に示すように光記録ヘッド３Ａは、光ファイバ１０をスライダ１３の取り付け面より角度ｘ（ｒａｄ）傾ける。このようにすると光１１ａが反射面１２に入射する入射角ｙを反射面１２が全反射となるように大きくして、反射面１２で反射してクラッド部分を伝搬する光１１ｂをスライダに設けてある光導波路１６の入射端面に垂直に入射させることが出来る。従って、光ファイバ１０が導く光１１ａを効率よく光導波路１６に入射させることが出来る。【００４７】
具体的には、以下のようにするのが好ましい。光ファイバ１０が導く光が反射面１２に入射し反射してなす面内で、反射面１２に入射する光の光軸と光導波路１６の入射端で光が進む方向に垂直な面とがなす角度ｘが、条件式（１）を満足するように光導波路１６と光ファイバ１０とを配設するのが好ましい。且つ、先の角度ｘに基づいて、反射面１２は、光ファイバ１０が導く光の反射面１２に入射する入射角ｙが、条件式（２）を満足する斜面とするのが好ましい。
ｎ×ｓｉｎ（π／４−ｘ／２  −  ａｒｃｓｉｎ（ａ／ｎ））  ＞  １    （１）
ｙ＝π／４−ｘ／２                                                  （２）
但し、
０  ≦  ｘ  ＜  π／２
ｎ：光ファイバ１０のクラッドの屈折率
ａ：光ファイバ１０が導く光の軸に対して光ファイバ１０の端面が垂直な場合の光ファイバ１０のＮＡ
例えば、光記録ヘッド３Ａに使用する光ファイバ１０の仕様より、クラッドの屈折率ｎ、光ファイバから出射される光のＮＡ（Ｎｕｍｅｒｉｃａｌ  Ａｐｅｒｔｕｒｅ）ａを用いて条件式（１）より好ましいｘの範囲を求める。具体的には、条件式（１）を満足して反射面１２を全反射とする角度ｘを、角度ｘを大きくすると光記録ヘッドが高くなることを考慮しながら決める。このようにして決めた角度ｘに基づいて条件式（２）より入射角ｙを決め、光ファイバ１０の端の斜面の角度を決める。【００４８】
また、図８に示すように、光ファイバ１０がスライダ１３と接合する面は、平坦部１０ｃを有しているのが好ましい。この場合、スライダ１３と接合する光ファイバ１０の平坦部１０ｃで反射面１２で反射してクラッド部分を伝搬する光１１ｂを光導波路１６で効率よく結合できる領域１０ｄを確保出来るようにするのがより好ましい。また、光ファイバ１０をスライダ１３に固定する場合、第１の実施形態で説明した内容と同じく、スライダ１３と光ファイバ１０との隙間を接着剤等の樹脂で埋め込むのが好ましい。【００４９】
（第４の実施形態）
光ファイバ１０が偏波保持ファイバとする例を示す。図９（ａ）は、偏波保持ファイバの断面の例を模式的に示している。図９（ａ）の２０は偏波保持ファイバ、２２はコア、２４はクラッド、２６は偏波保持のための屈折率変化部である。図９（ａ）に示すように、クラッド２４内にコア２２とコア２２の両側に屈折率変化部２６を持たせた構造にすることで、偏波保持ファイバ２０は、この光ファイバに入射した光の偏波（偏光）状態が保たれたまま導光することが出来る。【００５０】
このような偏波保持ファイバ２０をこれまで説明した光ファイバ１０と置き換える場合を考える。図９（ｂ）（ｃ）は、図２の光記録ヘッド３の光ファイバ１０を偏波保持ファイバ２０に置き換え、この周辺を矢印Ｄの方向から透視した様子を示している。図９（ｂ）で示すようにコアを伝播する光２１ａが反射面１２で偏向された光３１ｂの光路上に屈折率変化部２６がある場合、偏波（偏光）状態は維持されるものの屈折率変化部２６によって光３１ｂが散乱され利用効率が低下してしまい、効率よく光導波路１６に結合されない。一方、図９（ｃ）に示すように反射面１２で偏向された光２１ｂの光路上に屈折率変化部２６が存在しない様にするのが好ましい。このようにすることで、偏光状態は維持され、屈折率変化部２６によって光２１ｂが散乱されることがなく、効率よく光導波路１６に結合される。【００５１】
光記録ヘッドの光導波路１６の光出射端面に金等を材料とする例えば三角形の形状をした平板状金属薄膜からなるプラズモンプローブを設け、このプローブに光を作用させることで近接場光を発生させることが出来る。この場合、プローブを照射する光の偏光方向を特定の方向にすることで、近接場光の発生を効果的に行うことが出来る。一方、偏波保持機能を持たない光ファイバを曲げたり強い力で挟んだりして光ファイバに応力を加えると、導光する光の偏光方向が変化してしまう。従って、プラズモンプローブを設けて近接場光を発生させる場合、光ファイバとして偏波保持ファイバを用いることでプローブを照射する光の偏光状態をより安定に保持することで近接場光をより安定して発生させることが出来る。
【図７】
2008142917.tif 000003
【図８】
2008142917.tif 000004
【図１】
2008142917.tif 000005
【図２】
2008142917.tif 000006
【図３】
2008142917.tif 000007
【図４】
2008142917.tif 000008
【図５】
2008142917.tif 000009
【図６】
2008142917.tif 000010
【図９】
2008142917.tif 000011
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
記録媒体の上で前記記録媒体と相対的に移動し、光導波路が配設されたスライダと、
光源からの光を導く光ファイバと、を備えた光記録ヘッドにおいて、
前記光ファイバは、前記スライダに接合されると共に、該光ファイバの光を出射する側の端面に光源より導かれた光を偏向させる反射面となる斜面が形成され、該斜面で偏向された光が前記光ファイバから出射する面に平坦部を有し、前記斜面で偏向された光が前記光導波路に入射する位置に配置されていることを特徴とする光記録ヘッド。
【請求項２】
前記光ファイバは、該光ファイバが導く光の偏波を保持する屈折率変化部を前記反射面で反射した光が通る光路を外れた位置に有することを特徴とする請求項１に記載の光記録ヘッド。
【請求項３】
前記光導波路から光が出射する位置に、プラズモンプローブが配置されていることを特徴とする請求項１又は２に記載の光記録ヘッド。
【請求項４】
請求項１から３の何れか一項に記載の光記録ヘッドは、前記記録媒体に磁気記録を行う磁気記録部を前記スライダに備えていることを特徴とする光アシスト式磁気記録ヘッド。
【請求項５】
記録媒体と、請求項１から３の何れか一項に記載の光記録ヘッドと、前記光記録ヘッドを制御する制御部と、を有することを特徴とする光記録装置。
【請求項６】
記録媒体と、請求項４に記載の光アシスト式磁気記録ヘッドと、前記光アシスト式磁気記録ヘッドを制御する制御部と、を有することを特徴とする光記録装置。
【手続補正２】
【補正対象書類名】明細書
【補正対象項目名】００１２
【補正方法】変更
【補正の内容】
【００１２】
１．  記録媒体の上で前記記録媒体と相対的に移動し、光導波路が配設されたスライダと、
光源からの光を導く光ファイバと、を備えた光記録ヘッドにおいて、
前記光ファイバは、前記スライダに接合されると共に、該光ファイバの光を出射する側の端面に光源より導かれた光を偏向させる反射面となる斜面が形成され、該斜面で偏向された光が前記光ファイバから出射する面に平坦部を有し、前記斜面で偏向された光が前記光導波路に入射する位置に配置されていることを特徴とする光記録ヘッド。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
２．  前記光ファイバは、該光ファイバが導く光の偏波を保持する屈折率変化部を前記反射面で反射した光が通る光路を外れた位置に有することを特徴とする１に記載の光記録ヘッド。
【手続補正６】
【補正対象書類名】明細書
【補正対象項目名】００１６
【補正方法】変更
【補正の内容】
【００１６】
３．前記光導波路から光が出射する位置に、プラズモンプローブが配置されていることを特徴とする１又は２に記載の光記録ヘッド。
【手続補正７】
【補正対象書類名】明細書
【補正対象項目名】００１７
【補正方法】変更
【補正の内容】
【００１７】
４．１から３の何れか一項に記載の光記録ヘッドは、前記記録媒体に磁気記録を行う磁気記録部を前記スライダに備えていることを特徴とする光アシスト式磁気記録ヘッド。
【手続補正８】
【補正対象書類名】明細書
【補正対象項目名】００１８
【補正方法】変更
【補正の内容】
【００１８】
５．  記録媒体と、１から３の何れか一項に記載の光記録ヘッドと、前記光記録ヘッドを制御する制御部と、を有することを特徴とする光記録装置。
【手続補正９】
【補正対象書類名】明細書
【補正対象項目名】００１９
【補正方法】変更
【補正の内容】
【００１９】
６．  記録媒体と、４に記載の光アシスト式磁気記録ヘッドと、前記光アシスト式磁気記録ヘッドを制御する制御部と、を有することを特徴とする光記録装置。
【手続補正１０】
【補正対象書類名】明細書
【補正対象項目名】００２０
【補正方法】変更
【補正の内容】
【００２０】
本発明によれば、光ファイバで光源から導かれた光は、光ファイバの端に形成されている斜面で反射され偏向され、偏向された光がスライダに配設されている光導波路に入射することが出来き、光導波路に入射した光は記録媒体を照射する。また、斜面で偏向された光が光ファイバから出射する面に平坦部を有している。よって、光ファイバのスライダへの配設が容易で、光源より光ファイバで導かれた光は、光導波路との光結合の損失がより少なく、記録媒体を照射することが出来る。
【手続補正１１】
【補正対象書類名】明細書
【補正対象項目名】００４７
【補正方法】削除
【補正の内容】
【国際調査報告】
2008142917.tif 000012
2008142917.tif 000013
2008142917.tif 000014
2008142917.tif 000015